(57)【要約】【課題】  拠点毎に配置されたカラー画像を表示する複数の表示手段の表示色の差の確認を容易に行うことが可能な色管理システム及びその色管理方法を提供すること。【解決手段】  測色計（３ａ〜３ｃ）により測定された拠点ごとに配置された表示手段（２３ａ〜２３ｃ）の表示色の測定値と、測定された表示手段を識別するための識別情報とを対応させて記憶する記憶手段（１２）と、記憶手段に記憶された測定値及び識別情報に基づいて、拠点に配置された少なくとも２以上の表示手段の表示色をそれぞれ識別可能に重ねて表示する情報を端末装置から閲覧可能に作成する情報作成手段（１３、１４）とを備えることを特徴とする。【選択図】      図１
2005348162.tif 000002
【特許請求の範囲】
【請求項１】
拠点毎に配置されたカラー画像を表示する複数の表示手段の表示色の管理を行うための色管理システムであって、
前記拠点毎に配置され、測定手段により測定されたそれぞれの前記表示手段の表示色の測定値と、前記それぞれの表示手段を識別するための識別情報とを送信する測定値送信手段を有する複数の端末装置と、
前記複数の端末装置とネットワークを介して接続され、前記送信される測定値と識別情報とを対応させて記憶する記憶手段と、前記記憶手段に記憶された測定値及び識別情報に基づいて、少なくとも２以上の前記表示手段の表示色をそれぞれ識別可能に重ねて表示する情報を前記端末装置から閲覧可能に作成する情報作成手段と、を有する管理サーバと、を備えることを特徴とする色管理システム。
【請求項２】
前記作成される情報は、前記少なくとも２以上の前記表示手段の表示色を、ｘｙ色度図、ＵＣＳ色度図、または、Ｌ＊ａ＊ｂ＊表色系のａ＊ｂ＊座標平面上に表示するものである請求項１に記載の色管理システム。
【請求項３】
前記表示色は、白色を含み、
前記作成される情報は、前記少なくとも２以上の前記表示手段の表示色を、前記白色の測定値に基づいて求められる白色ポイントの色温度で表示するものである請求項１に記載の色管理システム。
【請求項４】
拠点毎に配置されたカラー画像を表示する複数の表示手段の表示色の管理を行うための色管理方法であって、
前記拠点毎に配置された複数の端末装置で前記表示色を測定する段階と、
前記測定された測定値と、それぞれの前記表示手段を識別するための識別情報とを送信する段階と、
前記複数の端末装置とネットワークを介して接続された管理サーバで前記送信される測定値と識別情報とを対応させて記憶する段階と、
前記記憶された測定値及び識別情報に基づいて、少なくとも２以上の前記表示手段の表示色をそれぞれ識別可能に重ねて表示する情報を前記端末装置から閲覧可能に作成する段階と、を含むことを特徴とする色管理方法。
【発明の詳細な説明】
【技術分野】
【０００１】
本発明は、拠点毎に配置されたカラー画像を表示する複数の表示手段の表示色の管理を行うための色管理システム及び色管理方法に関するものである。
【背景技術】
【０００２】
従来、印刷写真原稿を入稿する前に、その印刷写真原稿のリバーサルフィルムをビューアを用いて確認することが行われていた。この確認に用いるビューアは、光源の白色ポイントの色温度が５０００Ｋ（ケルビン）に統一されているので、色の見え方の統一性は確保されていた。
【０００３】
一方、近年のデジタルカメラの普及により、リバーサルフィルムに代わりデジタルデータ（画像データ）での入稿が一般化してきた。デジタルデータによる印刷写真原稿の確認は、デジタルデータに基づく画像をモニタ等の表示手段に表示して行われる。この場合、色の見え方は使用するモニタに依存するので、モニタの色管理をモニタの表示する有彩色を測定してカラー画像表示性能を評価することにより行い、モニタの表示する色について高い色再現性を実現することができるようにするものがある（例えば、特許文献１参照。）。
【０００４】
【特許文献１】特開２００３−２４１７３２号公報
【発明の開示】
【発明が解決しようとする課題】
【０００５】
ところが、モニタの色再現範囲は個々のモニタの方式や性能で異なるので、例えば、複数の拠点の各モニタに同じデジタルデータの画像を表示させて双方で画像の色についての評価を行う場合に、色再現範囲の違いにより表示色が異なることがある。そして、この表示色の違いによる問題が発生する場合がある。このような場合に、事前に各拠点で使用するモニタの色再現範囲や表示色の差について確認し、把握しておくことが望まれるが、各拠点のモニタの色再現範囲や表示色の差を確認する手段は無かった。
【０００６】
本発明は、上記事情に鑑みてなされたものであり、その目的とするところは、拠点毎に配置されたカラー画像を表示する複数の表示手段の表示色の差の確認を容易に行うことが可能な色管理システム及びその色管理方法を提供することにある。
【課題を解決するための手段】
【０００７】
上記課題を解決するために、請求項１記載の発明は、拠点毎に配置されたカラー画像を表示する複数の表示手段の表示色の管理を行うための色管理システムであって、前記拠点毎に配置され、測定手段により測定されたそれぞれの前記表示手段の表示色の測定値と、前記それぞれの表示手段を識別するための識別情報とを送信する測定値送信手段を有する複数の端末装置と、前記複数の端末装置とネットワークを介して接続され、前記送信される測定値と識別情報とを対応させて記憶する記憶手段と、前記記憶手段に記憶された測定値及び識別情報に基づいて、少なくとも２以上の前記表示手段の表示色をそれぞれ識別可能に重ねて表示する情報を前記端末装置から閲覧可能に作成する情報作成手段と、を有する管理サーバと、を備えることを特徴としている。
【０００８】
また、請求項２記載の発明は、前記作成される情報は、前記少なくとも２以上の前記表示手段の表示色を、ｘｙ色度図、ＵＣＳ色度図、または、Ｌ＊ａ＊ｂ＊表色系のａ＊ｂ＊座標平面上に表示するものであることを特徴としている。
【０００９】
また、請求項３記載の発明は、前記表示色は、白色を含み、
前記作成される情報は、前記少なくとも２以上の前記表示手段の表示色を、前記白色の測定値に基づいて求められる白色ポイントの色温度で表示するものであることを特徴としている。
【００１０】
また、請求項４記載の発明は、拠点毎に配置されたカラー画像を表示する複数の表示手段の表示色の管理を行うための色管理方法であって、前記拠点毎に配置された複数の端末装置で前記表示色を測定する段階と、前記測定された測定値と、それぞれの前記表示手段を識別するための識別情報とを送信する段階と、前記複数の端末装置とネットワークを介して接続された管理サーバで前記送信される測定値と識別情報とを対応させて記憶する段階と、前記記憶された測定値及び識別情報に基づいて、少なくとも２以上の前記表示手段の表示色をそれぞれ識別可能に重ねて表示する情報を前記端末装置から閲覧可能に作成する段階と、を含むことを特徴としている。
【発明の効果】
【００１１】
請求項１記載の色管理システムによれば、拠点毎に配置された複数の端末装置で、表示手段の表示色の測定値と表示手段を識別するための識別情報とを送信し、複数の端末装置とネットワークを介して接続された管理サーバで、送信された測定値と識別情報とを対応させて記憶し、記憶された測定値及び識別情報に基づいて、複数の表示手段の表示色をそれぞれ識別可能に表示する情報を端末装置から閲覧可能に作成するので、遠隔地に配置された各表示手段の表示色の差を容易に確認することができる。
【００１２】
請求項２記載の色管理システムによれば、表示色を、ｘｙ色度図、ＵＣＳ色度図、または、Ｌ＊ａ＊ｂ＊表色系のａ＊ｂ＊座標平面上に表示するので、各表示手段の表示色を容易に比較できる。
【００１３】
請求項３記載の色管理システムによれば、表示色を、白色ポイントの色温度で表示するので、各表示手段の表示色を容易に比較できる。
【００１４】
請求項４記載の色管理システムによれば、拠点毎に配置された複数の端末装置で、表示手段の表示色の測定値と表示手段を識別するための識別情報とを送信し、複数の端末装置とネットワークを介して接続された管理サーバで、送信された測定値と識別情報とを対応させて記憶し、記憶された測定値及び識別情報に基づいて、複数の表示手段の表示色をそれぞれ識別可能に表示する情報を端末装置から閲覧可能に作成するので、遠隔地に配置された各表示手段の表示色の差を容易に確認することができる。
【発明を実施するための最良の形態】
【００１５】
以下、本発明に係る色管理システム及びその色管理方法の好適な一実施形態について、図面を参照しながら具体的に説明する。
【００１６】
本発明の色管理システムは、拠点毎に配置されたカラー画像を表示する複数の表示手段の表示色の測定値を収集し、各拠点の表示手段の表示色を識別可能に重ねて表示する情報（以下、表示色比較情報と称する。）を提供するものである。
【００１７】
以下、本実施形態における色管理システムの構成について、図面を参照しながら詳細に説明する。
【００１８】
（システム構成）
図１は、当該色管理システムのシステム構成を示す機能ブロック図である。管理サーバ１は、専用通信回線やインターネット等のネットワークＮにより、遠隔地にある複数の拠点毎に設置された端末装置２（図では、２ａ、２ｂ、２ｃ）と接続されている。さらに、各端末装置２には、表示手段２３の表示色の色特性の値、例えば、ＸＹＺ表色系におけるＸ、Ｙ、Ｚの三刺激値を測定するための測定手段としての測色計３（図では、３ａ、３ｂ、３ｃ）が接続されている。
【００１９】
ここで、複数の拠点は、例えば、印刷会社、印刷会社の外注、顧客などである。また、端末装置２、測色計３は図１の各３台に限らず任意の個数が配置されて良い。また、図示しない出力装置や測色計３ａ〜３ｃは、互いに異なる製品や機種であっても良い。
【００２０】
端末装置２は、いわゆる、コンピュータ端末であって、キーボードやマウス等の入力手段２４（図では、２４ａ、２４ｂ、２４ｃ）と、例えば画像データに基づいて印刷写真原稿等のカラー画像を表示するＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）などのモニタである表示手段２３（図では、２３ａ、２３ｂ、２３ｃ）と、情報の送受信を行う通信手段２２（図では、２２ａ、２２ｂ、２２ｃ）と、また、表示手段２３の表示を制御する表示制御手段としての機能と、通信手段及びネットワークＮを介して、管理サーバ１に画面情報を送信するように要求し、管理サーバ１から受け付ける画面情報に基づいて表示手段２３で表示を行うとともに、入力手段２４での入力を管理サーバ１に送信するウェブブラウザ機能を有する管理手段２１（図では、２１ａ、２１ｂ、２１ｃ）とを備える。端末装置２は、このウェブブラウザ機能を用いて、測色計３で測定する表示手段２３の表示色のＸ、Ｙ、Ｚの三刺激値などの測定値と測定した表示手段２３を示す識別情報とを管理サーバ１に送信する測定値送信手段としての機能を実現し、また、管理サーバ１から送信される表示色比較情報を表示手段２３で表示する。
【００２１】
管理サーバ１は、いわゆる、コンピュータ端末であって、キーボードやマウス等の入力手段と、ＣＲＴやＬＣＤなどの表示手段と、サーバを含む装置本体と、を備えている。また、管理サーバ１は、ネットワークＮを介して情報の送受信を行う通信手段としての機能を有する通信部１１を備え、さらに。ネットワークＮ及び通信部１１を介して、端末装置２から送信される測定値と識別情報とを関連付けて記憶する記憶手段としての機能を有する測定値記憶手段１２を有する。また、比較対象の表示手段の測定値を識別情報に基づいて抽出する測定値抽出手段１３と、抽出された測定値に基づいて表示色比較情報を作成する測定値処理手段１４とを備える。さらに、作成した情報を端末装置２の表示手段で閲覧可能とする画面情報にする生成手段１５を有する。生成された画面情報は、通信部１１及びネットワークＮを介して端末装置２に送信される。また、測定値抽出手段１３、測定値処理手段１４及び生成手段１５で本発明の情報作成手段を構成する。
【００２２】
以上のような構成により、各端末装置２からの要求に基づいて、各端末装置２の表示手段の表示色についての表示色比較情報の提供が可能となる（手順は後述）。
【００２３】
（色管理方法）
次に、当該色管理システムにおいて行われる色管理方法について説明する。
【００２４】
（表示色の測定）
まず、表示手段２３に表示される表示色の測定について説明する。図２に、測色計３が設置された端末装置２の外観図を示す。図２に示すように、測色計３は、表示手段２３のカラー画像を表示する表示画面に対して所定の位置に設置され、表示手段２３に表示される表示色を測定して測定値を出力するように構成される。尚、本例では、測定値は、ＸＹＺ表色系におけるＸ、Ｙ、Ｚの三刺激値である。また、測定する表示色は、色再現範囲、表示色の比較に用いるための色でよい。本例では、少なくともＲ（赤色）、Ｇ（緑色）、Ｂ（青色）、及び、Ｗ（白色）を含む複数の表示色を用いるものとする。
【００２５】
次に、表示色の測定手順の一例について図を用いて説明する。図３は、表示色の測定及び記憶手順を示すフローチャートである。
【００２６】
図３によれば、作業者が端末装置２の入力手段２４を操作すると、管理手段２１は、その操作内容を受け、図４に示す測定画面２３１を表示手段に表示させる（ステップＳ１０１、以下「ステップＳ１０１」は「Ｓ１０１」のように省略して表す。他のステップも同様。）。そして、表示色の測定及び識別情報としてのモニタ名の入力が行われ、管理手段２１は、測定値及び識別情報を取得する（Ｓ１０２）。
【００２７】
具体的には、作業者が、マウス等によりカーソルを移動させて、測定キー２３２をクリックすると、管理手段２１は、測色計３は設置されている表示画面の所定の位置、または、表示画面全体に測定する表示色を順次表示させつつ、その表示させた色についての測定値を測色計３から取得して表示色の測定を行う。キャンセルキー２３３は、測定を中止するためのものである。次に、作業者は、カーソルをモニタ名入力欄２３４に移動させ、キーボード等を用いて、モニタ名を、例えば、「モニタＡ」と入力する。
【００２８】
上記測定及び入力が済み、作業者が送信キー２３５をクリックすると（Ｓ１０３、Ｙ）、測定値及びモニタ名は、それぞれ測定データ及びモニタ名を識別情報として、さらに送信日時情報、拠点を示す送信元情報が、管理サーバ１に送信される（Ｓ１０４）。ただし、送信キー２３５は、測定及びモニタ名の入力がなされた後に表示されるようにするとよい。キャンセルキー２３３は、測定及び送信を中止するためのものである。
【００２９】
管理サーバ１は、測定データ及びモニタ名等を受信すると（Ｓ１０５、Ｙ）、測定データとモニタ名とを対応させ、さらに送信日時情報が示す日時、送信元情報が示す拠点を対応させて、図５に示すような構造で測定データ記憶手段１２に記憶する（Ｓ１０６）。
【００３０】
（表示色比較情報の提供の手順）
次に、表示色比較情報提供の手順について図６のフローチャートを用いて説明する。本実施の形態の特徴はネットワークに接続されている２つ以上の表示手段についての表示色比較情報を提供することである。
【００３１】
図６によれば、作業者が端末装置２の入力手段２４を操作すると、管理手段２１は、その操作内容を受け、図７に示すような要求画面２４１を表示手段２３に表示させる（Ｓ２０１）。次に、作業者が、要求画面２４１の複数のモニタ名入力欄２４２を用いて、プルダウンメニューにより比較対象モニタ名を２つ以上選択し、管理手段２１は、比較対象となるモニタのモニタ名を取得する（Ｓ２０２）。このとき、モニタ名入力欄２４２の１つには、操作を行っている端末装置２のモニタ名が表示されていると便利である。そして、送信キー２４３がクリックされると（Ｓ２０３、Ｙ）、管理手段２１は管理サーバ１に、比較対象の複数のモニタ名とともに表示色比較情報提供要求を送信する（Ｓ２０４）。
【００３２】
管理サーバ１は、表示色比較情報提供要求を受けて（Ｓ２０５、Ｙ）、測定値抽出手段１３は、測定値記憶手段１２を検索して端末装置２から送信された複数のモニタ名の測定値をそれぞれ抽出する（Ｓ２０６）。そして、測定値処理手段１４で、その抽出した測定値に基づいて比較対象のモニタの表示色の差を確認するための表示色比較情報（詳細は、後述）を作成する（Ｓ２０７）。さらに、表示色比較情報を閲覧可能にする画面情報を生成し端末装置２に送信する（Ｓ２０８）。
【００３３】
端末装置２は、画面情報を受けて（Ｓ２０９、Ｙ）、表示手段２３に表示色比較情報を表示する（Ｓ２１０）。
【００３４】
上記説明では、表示色比較情報を画面情報で端末装置２に送信するようにしたが、例えば、電子メールで送信し、端末装置２で閲覧可能にしてもよい。この場合には、生成手段１５は、表示色比較情報を含むメールに送信対象となる端末装置２のメールアドレスを付し、通信部１１で電子メールを送信すればよい。
【００３５】
ここで、作成する表示色比較情報の例について図８乃至図１３を用いて説明する。
【００３６】
図８は、「白色ポイントの色温度Ｔ（Ｋ）」を表示色比較情報として表示する表の一例で、３箇所の拠点のそれぞれに配置されるモニタＡ、モニタＣ、モニタＨのＷ（白色）の測定値であるＸＹＺ表色系におけるＸ、Ｙ、Ｚの三刺激値から求めた各白色ポイントの色度座標（ｘ、ｙ）と、さらに色度座標（ｘ、ｙ）から求めた色温度Ｔ（Ｋ）を求めて示したものである。
【００３７】
ここで、白色ポイントの色温度の算出方法について説明する。まず、Ｗ（白色）の各測定値のＸ、Ｙ、Ｚの三刺激値から、色度座標（ｘ、ｙ）を
ｘ＝Ｘ／（Ｘ＋Ｙ＋Ｚ）
ｙ＝Ｙ／（Ｘ＋Ｙ＋Ｚ）
と求める。色温度Ｔ（Ｋ）はｘｙ色度図上で、図９に示すような曲線で示される（図９には、参考のため可視光の色範囲を併せて示してある。）。また、図１０は図９の色温度の各点の色度座標（ｘ、ｙ）を数値で示したものであるが、これらの数値からＷ（白色）の色度座標（ｘ、ｙ）の近似点を求めさらに色温度を求めることができる。
【００３８】
また、色温度の低→高に伴い、色は赤→橙→黄→白→青白と変化するので、白色ポイントの色温度を比較することにより、表示される画像が、「橙がかる」、「青みを帯びる」などを確認できる。
【００３９】
図１１は、「ｘｙ色度図上に示す色再現範囲」を表示色比較情報として表示するグラフの一例であり、２箇所の拠点のそれぞれに配置されるモニタＡ、モニタＣの各色の測定値から色度座標（ｘ、ｙ）を上述の白色ポイントの色度座標（ｘ、ｙ）と同様にして求めて、ｘｙ色度図上に示したものである。図１１には、モニタＡの各値を■で、モニタＣの各値を○で識別可能に表示し、また、参考のため可視光の色範囲、典型的なモニタの色再現範囲ｓＲＧＢ、典型的な印刷の色再現範囲ＡｂｏｂｅＲＧＢ１９９８を示してある。ｘｙ色度図は、一般的に用いられているもので、例えば、図１１から、各モニタの色再現範囲、及び、色再現範囲の違いを確認することができる。
【００４０】
図１２は、「ＵＣＳ色度図上に示す色再現範囲」を表示色比較情報として表示するグラフの一例であり、２箇所の拠点のそれぞれに配置されるモニタＡ、モニタＣの各色の測定値から色度座標（ｕ´、ｖ´）を
ｕ´＝４Ｘ／（Ｘ＋１５Ｙ＋３Ｚ）＝４ｘ／（−２ｘ＋１２ｙ＋３）
ｖ´＝９Ｙ／（Ｘ＋１５Ｙ＋３Ｚ）＝９ｙ／（−２ｘ＋１２ｙ＋３）
と求めてＵＣＳ色度図上に示したものである。図１２には、モニタＡの各値を■で、モニタＣの各値を○で識別可能に表示し、また、参考のため可視光の色範囲を示してある。図１２のＵＣＳ色度図は、図１１のｘｙ色度図における色の見た目の違いとｘｙ色度図上での距離の関係の色による違いを是正したものであり、見た目の違いと同等の色再現範囲の違いを確認することができる。
【００４１】
図１３は、「Ｌ＊ａ＊ｂ＊表色系のａ＊ｂ＊座標平面上に示す色再現範囲」を表示色比較情報として表示するグラフの一例であり、２箇所の拠点のそれぞれに配置されるモニタＡ、モニタＣの各色の測定値からクロマティクネス指数ａ＊及びｂ＊を以下に示すようにして求め、ａ＊ｂ＊座標平面上に示したものである。
ａ＊＝５００〔（Ｘ／Ｘｎ）＾（１／３）−（Ｙ／Ｙｎ）＾（１／３）〕
（ただし、Ｎ＾Ｍは、ＮのＭ乗を示す。以下同じ。）、
ｂ＊＝２００〔（Ｙ／Ｙｎ）＾（１／３）−（Ｚ／Ｚｎ）＾（１／３）〕、
ただし、Ｘ／Ｘｎ＞０．００８８５６、Ｙ／Ｙｎ＞０．００８８５６、Ｚ／Ｚｎ＞０．００８８５６
により、算出する。
【００４２】
また、Ｘ／Ｘｎ、Ｙ／Ｙｎ、Ｚ／Ｚｎに０．００８８５６以下のものがある場合には、上述のａ＊、ｂ＊についての式の
（Ｘ／Ｘｎ）＾（１／３）を７．７８７（Ｘ／Ｘｎ）＋１６／１１６、
（Ｙ／Ｙｎ）＾（１／３）を７．７８７（Ｙ／Ｙｎ）＋１６／１１６、
（Ｚ／Ｚｎ）＾（１／３）を７．７８７（Ｚ／Ｚｎ）＋１６／１１６に置き換えて算出する。
【００４３】
また、Ｘｎ、Ｙｎ、Ｚｎは、光源により変化する値で、例えば、Ｄ５０光源の場合、
Ｘｎ＝９６．４１７、Ｙｎ＝１００、Ｚｎ＝８２．４８７である。
【００４４】
図１３には、モニタＡの各値を■で、モニタＣの各値を○で識別可能に表示してあるが、出力色の違いを、原点からの距離が示す彩度の違いで確認することができる。
【００４５】
また、作成・提供する表示色比較情報は、上述した表示色比較情報のうちの１つまたは複数とする。或いは、図示しないが要求画面２４１で表示色比較情報を例えば上述の例の中から選択できるようにして、選択された表示色比較情報を生成・提供するようにしてもよい。
【図面の簡単な説明】
【００４６】
【図１】本発明に係る色管理システムのシステム構成を示す機能ブロック図である。
【図２】測色計が設置された端末装置を示す外観図である。
【図３】本発明に係る表示色の測定及び記憶手順を示すフローチャートである。
【図４】色管理システムの端末装置の表示手段に表示される画面の一例を示す図である。
【図５】記憶手段に記憶する測定データ及び識別情報を説明するための説明図である。
【図６】本発明に係る表示色比較情報提供の手順を示すフローチャートである。
【図７】色管理システムの端末装置の表示手段に表示される画面の一例を示す図である。
【図８】本発明に係る色管理システムで作成する表示色比較情報の一例を示す図である。
【図９】色温度Ｔ（Ｋ）をｘｙ色度図上に示した図である。
【図１０】図９に示した色温度Ｔ（Ｋ）に対する（ｘ、ｙ）を数値示す図である。
【図１１】本発明に係る色管理システムで作成する表示色比較情報の一例を示す図である。
【図１２】本発明に係る色管理システムで作成する表示色比較情報の一例を示す図である。
【図１３】本発明に係る色管理システムで作成する表示色比較情報の一例を示す図である。
【符号の説明】
【００４７】
１  管理サーバ
１１  通信部
１２  測定値記憶手段
１３  測定値抽出手段
１４  測定値処理手段
１５  生成手段
２  端末装置
２１  管理手段
２２  通信手段
２３  表示手段
２４  入力手段
３  測色計
Ｎ  ネットワーク
【図１】
2005348162.tif 000003
【図２】
2005348162.tif 000004
【図３】
2005348162.tif 000005
【図４】
2005348162.tif 000006
【図５】
2005348162.tif 000007
【図６】
2005348162.tif 000008
【図７】
2005348162.tif 000009
【図８】
2005348162.tif 000010
【図９】
2005348162.tif 000011
【図１０】
2005348162.tif 000012
【図１１】
2005348162.tif 000013
【図１２】
2005348162.tif 000014
【図１３】
2005348162.tif 000015